Podtech/llm-jp-corpus-v4-ja_patent huggingface dataset:
【手続補正書】
【提出日】平成17年12月14日(2005.12.14)
【手続補正１】
【補正対象書類名】明細書
【補正対象項目名】発明の名称
【補正方法】変更
【補正の内容】
【発明の名称】データ放送受信機及びデータ放送印刷方法
【手続補正２】
【補正対象書類名】明細書
【補正対象項目名】特許請求の範囲
【補正方法】変更
【補正の内容】
【特許請求の範囲】
【請求項１】
データ放送用の放送データを受信するデータ放送受信機であって、
前記放送データに基づいて、少なくともフォントに関する情報を有するＣＳＳ特性データを含む解析結果を出力する放送データ解析手段と、
前記解析結果に基づいて、プリンタで印刷するための印刷用レイアウトオブジェクトを生成する印刷用描画手段
とを備え、
前記印刷用描画手段は、前記ＣＳＳ特性データによって指定されたフォントを、予め用意された印刷用フォントに変換することを特徴とするデータ放送受信機。
【請求項２】
前記印刷用描画手段は、さらに、変換前のフォントのサイズと前記印刷用フォントのサイズとの対応関係が定められた変換テーブルに基づいて、前記ＣＳＳ特性データによって指定されたフォントのサイズを変換することを特徴とする請求項１に記載のデータ放送受信機。
【請求項３】
前記変換テーブルには、前記ＣＳＳ特性データによって指定され得る複数種類のフォントの各々に対して、前記変換前のフォントのサイズと前記印刷用フォントのサイズとの対応関係が定められていることを特徴とする請求項２に記載のデータ放送受信機。
【請求項４】
データ放送用の放送データを受信して、プリンタで印刷させるデータ放送印刷方法であって、
前記放送データに基づいて、少なくともフォントに関する情報を有するＣＳＳ特性データを含む解析結果を出力する放送データ解析ステップと、
前記解析結果に基づいて、プリンタで印刷するための印刷用レイアウトオブジェクトを生成する印刷用描画ステップとを備え、
前記印刷用描画ステップにおいて、前記ＣＳＳ特性データによって指定されたフォントを、予め用意された印刷用フォントに変換することを特徴とするデータ放送印刷方法。
【手続補正３】
【補正対象書類名】明細書
【補正対象項目名】０００１
【補正方法】変更
【補正の内容】
【０００１】
【発明の属する技術分野】
本発明は、放送局により送信される放送データを受信して表示するデータ放送受信機及びデータ放送印刷方法に関し、特に、データ放送の表示画面の全部または一部を印刷可能なデータ放送受信機及びデータ放送印刷方法に関する。
【手続補正４】
【補正対象書類名】明細書
【補正対象項目名】０００７
【補正方法】変更
【補正の内容】
【０００７】
データ放送は、番組視聴者がリモコン９を使って情報を引き出すものであり、番組視聴者はリモコン９を操作して、画面遷移、フォーカス移動及びスタイルシートの切り替えなどを指示できる。リモコン９の操作はユーザインターフェース８を介して動作制御手段７に伝達され、動作制御手段７が、番組視聴者の指示に従って受信機全体を制御する。
【手続補正５】
【補正対象書類名】明細書
【補正対象項目名】００１６
【補正方法】変更
【補正の内容】
【００１６】
データ放送デコーダ２１０は、受信したデータ放送用データを元にＢＭＬ（Ｂｒｏａｄｃａｓｔｉｎｇ  Ｍａｒｋｕｐ  Ｌａｎｇｕａｇｅ）文書を解釈し、表示データ生成手段２０４は、データ放送デコーダ２１０の解釈結果に応じた表示データを生成し、図示しない表示器に印加する。これにより、受信したデータ放送用データの内容が表示される。
【手続補正６】
【補正対象書類名】明細書
【補正対象項目名】００２０
【補正方法】変更
【補正の内容】
【００２０】
本発明は、このような問題点を解決するデータ放送受信機及びデータ放送印刷方法を提示することを目的とする。
【手続補正７】
【補正対象書類名】明細書
【補正対象項目名】００２１
【補正方法】変更
【補正の内容】
【００２１】
【課題を解決するための手段】
本発明に係るデータ放送受信機は、データ放送用の放送データを受信するデータ放送受信機であって、前記放送データに基づいて、少なくともフォントに関する情報を有するＣＳＳ特性データを含む解析結果を出力する放送データ解析手段と、前記解析結果に基づいて、プリンタで印刷するための印刷用レイアウトオブジェクトを生成する印刷用描画手段とを備え、前記印刷用描画手段は、前記ＣＳＳ特性データによって指定されたフォントを、予め用意された印刷用フォントに変換することを特徴とする。
本発明に係るデータ放送印刷方法は、データ放送用の放送データを受信して、プリンタで印刷させるデータ放送印刷方法であって、前記放送データに基づいて、少なくともフォントに関する情報を有するＣＳＳ特性データを含む解析結果を出力する放送データ解析ステップと、前記解析結果に基づいて、プリンタで印刷するための印刷用レイアウトオブジェクトを生成する印刷用描画ステップとを備え、前記印刷用描画ステップにおいて、前記ＣＳＳ特性データによって指定されたフォントを、予め用意された印刷用フォントに変換することを特徴とする。
【手続補正書】
【提出日】平成18年1月6日(2006.1.6)
【手続補正１】
【補正対象書類名】明細書
【補正対象項目名】００１４
【補正方法】変更
【補正の内容】
【００１４】
カラー映像と白黒映像との切替え基準を、映像信号の状態を検出しておこなうのではなく、専用の照度測定素子から得られる信号に基づきおこなっているので、赤外カットフィルターの有無による信号変動を考慮する必要がなくなり、制御が簡略化される。そして、赤外線照明の発光強度の制御を、輝度信号の状態に基づきおこなわせているので、カラー映像と白黒映像との切替え制御と混在することがなく、制御系統相互の悪影響をなくすことができる。これにより、複雑な制御をおこなうデイナイトカメラでありながら、低コストで安定動作が保証されるカメラが実現され、この種の監視カメラの普及が促進される。
【手続補正書】
【提出日】平成17年11月7日(2005.11.7)
【手続補正１】
【補正対象書類名】明細書
【補正対象項目名】発明の名称
【補正方法】変更
【補正の内容】
【発明の名称】映像出力装置の環境制御装置及び方法
【手続補正２】
【補正対象書類名】明細書
【補正対象項目名】特許請求の範囲
【補正方法】変更
【補正の内容】
【特許請求の範囲】
【請求項１】
復号するときに基準となる同期情報を時刻合わせするために参照される参照値をコンテンツ用のパックに付加する形式で、動画コンテンツを符号化する手段と、
対応する動画コンテンツに同期するように前記参照値を付加する形式の制御パックを生成して、前記動画コンテンツのストリームに多重化する手段と、
前記ストリームの前記動画コンテンツを復号化する手段と、
再生された前記制御パックを分離してメモリに格納する手段と、
前記復号された動画コンテンツが表示装置に表示された状態で、所望の表示のとき前記動画コンテンツの再生を一時停止させる手段と、
前記動画コンテンツの再生が一時停止しているときに、前記表示されている動画コンテンツのパックと同じタイムスタンプを持つ制御パックを前記メモリから探す手段と、
前記復号化された動画コンテンツを表示する表示装置周辺の環境を形成する環境形成装置を、前記表示装置に表示される動画コンテンツと同期制御するための環境制御データを、前記メモリから探した前記制御パックに書き込む手段と、
を備える映像出力装置の環境制御装置。
【請求項２】
前記制御パックに前記環境制御データを書き込むとき前記表示装置に編集メニューを表示する手段を有し、この編集メニューで設定された環境形成装置の前記環境制御データを書き込むことを特徴とする請求項１記載の映像出力装置の環境制御装置。
【請求項３】
前記制御データが書き込まれた制御パックによって制御される環境形成装置は、前記環境制御データが書き込まれた制御パックが有する参照値によって、前記表示装置に表示される動画コンテンツと同期が取れるように構成されていることを特徴とする請求項１記載の映像出力装置の環境制御装置。
【請求項４】
前記生成された制御パックと前記符号化された動画コンテンツのストリームを記録する記録手段をさらに備え、
前記記録手段は、前記生成された制御パックと前記符号化された動画コンテンツを多重化された形で記録することを特徴とする請求項１記載の映像出力装置の環境制御装置。
【請求項５】
前記同期制御させるための前記環境制御データを生成するために、前記表示装置に前記環境形成装置を表示させる手段をさらに備えることを特徴とする請求項１記載の映像出力装置の環境制御装置。
【請求項６】
前記動画コンテンツのストリームは、ストレージから読み出されて復号されるもので、前記環境制御データが書き込まれた前記制御パックは、前記ストレージの同じ参照値を有する制御パックに上書きされることを特徴とする請求項１記載の映像出力装置の環境制御装置。
【請求項７】
復号するときに基準となる同期情報を時刻合わせするために参照される参照値をコンテンツ用のパックに付加する形式で、動画コンテンツを符号化され、
対応する動画コンテンツに同期するように前記参照値を付加する形式の制御パックを生成されて、前記動画コンテンツのストリームに多重化されており、前記制御パックに環境制御データを書き込む、映像出力装置の環境制御方法であって、
前記ストリームの前記動画コンテンツを復号化し、
再生された前記制御パックを分離してメモリに格納し、
前記復号された動画コンテンツが表示装置に表示された状態で、所望の表示のとき前記動画コンテンツの再生を一時停止させ、
前記動画コンテンツの再生が一時停止しているときに、前記表示されている動画コンテンツのパックと同じタイムスタンプを持つ制御パックを前記メモリから探し、
前記復号化された動画コンテンツを表示する表示装置周辺の環境を形成する環境形成装置を前記表示装置に表示される動画コンテンツと同期制御するための制御データを、探した前記制御パックに書き込む、
ことを特徴とする映像出力装置の環境制御方法。
【手続補正書】
【提出日】平成18年1月23日(2006.1.23)
【手続補正１】
【補正対象書類名】明細書
【補正対象項目名】特許請求の範囲
【補正方法】変更
【補正の内容】
【特許請求の範囲】
【請求項１】  被写体撮像時の撮像部のパンニングまたはチルティングによる移動、及び撮像レンズのズーミング動作を検出する撮像動作検出手段と、
上記被写体を撮像して生成した撮像画像を圧縮符号化する際に、上記撮像動作検出手段により検出された撮像動作に基づいて、上記撮像画像の周波数帯域ごとにレベル制御を行う画質変更手段とを有することを特徴とする撮像装置。
【請求項２】  上記画質変更手段は、上記撮像動作検出手段で検出された撮影者の撮像動作がパンニング動作の場合には、上記被写体の撮像画像における垂直方向の高周波成分を削減し、上記撮像動作検出手段で検出された撮影者の撮像動作がチルティング動作の場合には、上記被写体の撮像画像における水平方向の高周波成分を削減するように、上記被写体の撮像画像の周波数帯域ごとにレベル制御を行うことを特徴とする請求項１に記載の撮像装置。
【請求項３】  上記画質変更手段は、上記被写体の撮像画像の画面が振動している場合に、上記被写体の撮像画像の周波数帯域ごとにレベル制御を行うことを特徴とする請求項１または２に記載の撮像装置。
【請求項４】  上記画質変更手段は、上記撮像部がズーミング動作を行っている場合に、上記被写体の撮像画像の周波数帯域ごとにレベル制御を行うことを特徴とする請求項１〜３の何れか１項に記載の撮像装置。
【請求項５】  上記画質変更手段は、上記被写体の撮像画像を圧縮するための圧縮方式としてＪＰＥＧ２０００方式のアルゴリズムに基づく方式を採用し、上記パンニング動作または上記チルティング動作が連続的に行なわれた際に、上記圧縮方式における圧縮処理の特性を利用して水平方向または垂直方向の何れかの信号につき周波数帯域ごとにレベル制御を行うことを特徴とする請求項１〜４の何れか１項に記載の撮像装置。
【請求項６】  被写体撮像時の撮像部のパンニングまたはチルティングによる移動、及び撮像レンズのズーミング動作を検出する撮像動作検出手順と、
上記被写体を撮像して生成した撮像画像を圧縮符号化する際に、上記撮像動作検出手順により検出された撮像動作に基づいて、上記撮像画像の周波数帯域ごとにレベル制御を行う画質変更手順とを有することを特徴とする撮像方法。
【請求項７】  被写体撮像時の撮像部のパンニングまたはチルティングによる移動、及び撮像レンズのズーミング動作を検出する撮像動作検出手順と、
上記被写体を撮像して生成した撮像画像を圧縮符号化する際に、上記撮像動作検出手順により検出された撮像動作に基づいて、上記撮像画像の周波数帯域ごとにレベル制御を行う画質変更手順とをコンピュータに実行させることを特徴とするコンピュータプログラム。
【請求項８】  上記請求項７に記載のプログラムを記録したことを特徴とするコンピュータ読み取り可能な記録媒体。
【手続補正２】
【補正対象書類名】明細書
【補正対象項目名】００１７
【補正方法】変更
【補正の内容】
【００１７】
【課題を解決するための手段】
本発明の撮像装置は、被写体撮像時の撮像部のパンニングまたはチルティングによる移動、及び撮像レンズのズーミング動作を検出する撮像動作検出手段と、上記被写体を撮像して生成した撮像画像を圧縮符号化する際に、上記撮像動作検出手段により検出された撮像動作に基づいて、上記撮像画像の周波数帯域ごとにレベル制御を行う画質変更手段とを有することを特徴とする。
【手続補正３】
【補正対象書類名】明細書
【補正対象項目名】００１８
【補正方法】変更
【補正の内容】
【００１８】
本発明の撮像方法は、被写体撮像時の撮像部のパンニングまたはチルティングによる移動、及び撮像レンズのズーミング動作を検出する撮像動作検出手順と、上記被写体を撮像して生成した撮像画像を圧縮符号化する際に、上記撮像動作検出手順により検出された撮像動作に基づいて、上記撮像画像の周波数帯域ごとにレベル制御を行う画質変更手順とを有することを特徴とする。
【手続補正４】
【補正対象書類名】明細書
【補正対象項目名】００１９
【補正方法】変更
【補正の内容】
【００１９】
本発明のコンピュータプログラムは、被写体撮像時の撮像部のパンニングまたはチルティングによる移動、及び撮像レンズのズーミング動作を検出する撮像動作検出手順と、上記被写体を撮像して生成した撮像画像を圧縮符号化する際に、上記撮像動作検出手順により検出された撮像動作に基づいて、上記撮像画像の周波数帯域ごとにレベル制御を行う画質変更手順とをコンピュータに実行させることを特徴とする。
【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】画像処理装置及びその方法とプログラム
【手続補正２】
【補正対象書類名】明細書
【補正対象項目名】特許請求の範囲
【補正方法】変更
【補正の内容】
【特許請求の範囲】
【請求項１】
３チャネル以上のカラー多値画像信号を入力し、各色に対しては擬似階調処理が終わった画素からの誤差信号を色毎に、入力したカラー多値画像信号にそれぞれ加算する複数の加算手段と、
前記複数の加算手段のそれぞれの加算結果を入力して各色毎の擬似階調出力を決定する出力決定手段と、
前記出力決定手段により決定された各色毎の擬似階調出力と前記複数の加算手段の色毎の加算結果とに基づいて着目画素における誤差を計算する誤差計算手段とを有し、
前記出力決定手段は、２チャネルの入力を持つ２次元ＬＵＴを複数回参照して前記擬似階調出力を決定することを特徴とする画像処理装置。
【請求項２】
前記出力決定手段は、前記３チャネル以上のうち２チャネルのカラー多値画像信号の和を、前記２次元ＬＵＴの一方のチャネルに入力して前記２次元ＬＵＴを参照することを特徴とする請求項１に記載の画像処理装置。
【請求項３】
前記複数の加算手段のそれぞれの加算結果に応じて前記出力決定手段から出力される各色毎の擬似階調出力を選択して出力する選択手段を更に有することを特徴とする請求項１又は２に記載の画像処理装置。
【請求項４】
３チャネル以上のカラー多値画像信号を入力し、各色に対しては擬似階調処理が終わった画素からの誤差信号を色毎に、入力したカラー多値画像信号にそれぞれ加算する加算工程と、
前記加算工程で加算された各加算結果を入力して各色毎の擬似階調出力を決定する出力決定工程と、
前記出力決定工程で決定された各色毎の擬似階調出力と前記加算工程での色毎の加算結果とに基づいて着目画素における誤差を計算する誤差計算工程とを有し、
前記出力決定工程では、２チャネルの入力を持つ２次元ＬＵＴを複数回参照して前記擬似階調出力を決定することを特徴とする画像処理方法。
【請求項５】
コンピュータを、
３チャネル以上のカラー多値画像信号を入力し、各色に対しては擬似階調処理が終わった画素からの誤差信号を色毎に、入力したカラー多値画像信号にそれぞれ加算する複数の加算手段と、
前記複数の加算手段のそれぞれの加算結果を入力して各色毎の擬似階調出力を決定する出力決定手段と、
前記出力決定手段により決定された各色毎の擬似階調出力と前記複数の加算手段の色毎の加算結果とに基づいて着目画素における誤差を計算する誤差計算手段とを有し、前記出力決定手段は、２チャネルの入力を持つ２次元ＬＵＴを複数回参照して前記擬似階調出力を決定する画像処理装置として機能させることを特徴とするプログラム。
【請求項６】
前記出力決定手段は、前記３チャネル以上のうち２チャネルのカラー多値画像信号の和を、前記２次元ＬＵＴの一方のチャネルに入力して前記２次元ＬＵＴを参照することを特徴とする請求項５に記載のプログラム。
【請求項７】
前記複数の加算手段のそれぞれの加算結果に応じて前記出力決定手段から出力される各色毎の擬似階調出力を選択して出力する選択手段を更に有する画像処理装置として機能させることを特徴とする請求項５又は６に記載のプログラム。
【手続補正３】
【補正対象書類名】明細書
【補正対象項目名】０００８
【補正方法】変更
【補正の内容】
【０００８】
【課題を解決するための手段】
上記目的を達成するために本発明の画像処理装置は以下のような構成を備える。即ち、
３チャネル以上のカラー多値画像信号を入力し、各色に対しては擬似階調処理が終わった画素からの誤差信号を色毎に、入力したカラー多値画像信号にそれぞれ加算する複数の加算手段と、
前記複数の加算手段のそれぞれの加算結果を入力して各色毎の擬似階調出力を決定する出力決定手段と、
前記出力決定手段により決定された各色毎の擬似階調出力と前記複数の加算手段の色毎の加算結果とに基づいて着目画素における誤差を計算する誤差計算手段とを有し、
前記出力決定手段は、２チャネルの入力を持つ２次元ＬＵＴを複数回参照して前記擬似階調出力を決定することを特徴とする。
また上記目的を達成するために本発明の画像処理方法は以下のような工程を備える。即ち、
３チャネル以上のカラー多値画像信号を入力し、各色に対しては擬似階調処理が終わった画素からの誤差信号を色毎に、入力したカラー多値画像信号にそれぞれ加算する加算工程と、
前記加算工程で加算された各加算結果を入力して各色毎の擬似階調出力を決定する出力決定工程と、
前記出力決定工程で決定された各色毎の擬似階調出力と前記加算工程での色毎の加算結果とに基づいて着目画素における誤差を計算する誤差計算工程とを有し、
前記出力決定工程では、２チャネルの入力を持つ２次元ＬＵＴを複数回参照して前記擬似階調出力を決定することを特徴とする。
【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  表示対象物に係る複数の画像を、観察者の視線上において所定距離を隔てて重ねて表示することで立体表示を行う表示装置であって、
前記視線上に相前後して配置されており、且つ前記複数の画像のうち少なくとも一つの画像を表示する表示面を夫々含んでなる複数の表示手段と、
当該表示装置における所定の状態を示す状態情報を格納する格納手段と、
前記状態情報を前記格納手段より読み出し、該読み出した状態情報に基づいて、当該表示装置を前記所定の状態に設定する設定手段と
を備えたことを特徴とする表示装置。
【請求項２】  前記状態情報は、前記複数の表示手段のうち隣り合う二つの表示手段の間隔を示す間隔情報を少なくとも一つ含んでなることを特徴とする請求項１に記載の表示装置。
【請求項３】  前記複数の表示手段の夫々は、該複数の表示手段の前記視線と交差する平面内における基準位置を有しており、
前記状態情報は、前記複数の表示手段のうち少なくとも一つの表示手段の基準位置からの前記視線と交差する方向への移動量を示す位置情報を含んでなること
を特徴とする請求項１又は２に記載の表示装置。
【請求項４】  前記状態情報は、前記表示面のうち少なくとも一つの表示面の、前記視線と交差する平面内における相対的な位置を示す表示面位置情報を含んでなることを特徴とする請求項１から３のいずれか一項に記載の表示装置。
【請求項５】  前記状態情報は、前記表示面のうち少なくとも一つの表示面に表示されている前記一つの画像の、該一つの表示面内における表示位置を示す画像表示位置情報を含んでなることを特徴とする請求項１から４のいずれか一項に記載の表示装置。
【請求項６】  前記状態情報は、前記表示面のうち少なくとも一つの表示面を、該表示面に表示されている前記一つの画像と共に拡大又は縮小表示するための表示面倍率情報を含んでなることを特徴とする請求項１から５のいずれか一項に記載の表示装置。
【請求項７】  前記状態情報は、前記表示面のうち少なくとも一つの表示面に表示されている前記一つの画像を拡大又は縮小表示するための画像倍率情報を含んでなることを特徴とする請求項１から６のいずれか一項に記載の表示装置。
【請求項８】  前記複数の表示手段の夫々は、前記視線に沿った方向及び交差する方向のうち少なくとも一方の方向に移動可能であって、
前記設定手段は、前記複数の表示手段のうち少なくとも一つの表示手段を移動させることを特徴とする請求項１から７のいずれか一項に記載の表示装置。
【請求項９】  前記複数の表示手段のうち隣り合う二つの表示手段の間に焦点可変レンズを更に備えており、
前記設定手段は、前記焦点可変レンズの焦点距離を所定の値に設定することで、前記隣り合う二つの表示手段のうち前記観察者の側から見て後方に配置された表示手段の見かけ上の位置を変化させることを特徴とする請求項１から８のいずれか一項に記載の表示装置。
【請求項１０】  前記表示面のうち少なくとも一つの表示面の前記視線と交差する面内における相対的な位置を変更可能な表示面変更手段を更に備えており、
前記設定手段は、前記表示面のうち少なくとも一つの表示面の前記視線と交差する面内における相対的な位置を変更するように前記表示面変更手段を制御することを特徴とする請求項１から９のいずれか一項に記載の表示装置。
【請求項１１】  前記表示面のうち少なくとも一つの表示面に表示されている前記一つの画像の、該一つの表示面内における表示位置を変更可能な画像位置変更手段を更に備えており、
前記設定手段は、前記表示面のうち少なくとも一つの表示面に表示されている前記一つの画像の、該一つの表示面内における表示位置を変更するように前記画像位置変更手段を制御することを特徴とする請求項１から１０のいずれか一項に記載の表示装置。
【請求項１２】  前記表示面のうち少なくとも一つの表示面を、該一つの表示面に表示されている前記一つの画像と共に拡大又は縮小可能な表示面拡大縮小手段を更に備えており、
前記設定手段は、前記表示面のうち少なくとも一つの表示面を、該一つの表示面に表示されている前記一つの画像と共に拡大又は縮小するように前記表示面拡大縮小手段を制御することを特徴とする請求項１から１１のいずれか一項に記載の表示装置。
【請求項１３】  前記表示面のうち少なくとも一つの表示面に表示されている前記一つの画像を拡大又は縮小可能な画像拡大縮小手段を更に備えており、
前記設定手段は、前記表示面のうち少なくとも一つの表示面に表示されている前記一つの画像を拡大又は縮小するように前記画像拡大縮小手段を制御することを特徴とする請求項１から１２のいずれか一項に記載の表示装置。
【請求項１４】  前記格納手段は、少なくとも一つの前記状態情報を予め格納していることを特徴とする請求項１から１３のいずれか一項に記載の表示装置。
【請求項１５】  前記観察者の観察位置を検出可能な位置検出手段を更に備え、
前記設定手段は、前記予め格納された状態情報のうち前記検出された位置に対応するものに基づいて、当該表示装置の状態を前記所定の状態に設定することを特徴とする請求項１４に記載の表示装置。
【請求項１６】  前記状態情報を外部から入力可能な外部入力手段を更に備え、
前記設定手段は、前記外部入力手段から入力される前記状態情報に基づいて、当該表示装置の状態を前記所定の状態に設定することを特徴とする請求項１から１５のいずれか一項に記載の表示装置。
【請求項１７】  前記複数の表示手段のうち、少なくとも前記観察者から見て最も後方に配置された表示手段を除く表示手段は、光透過性を有する表示デバイスからなることを特徴とする請求項１から１６のいずれか一項に記載の表示装置。
【請求項１８】  前記複数の表示手段は、ハーフミラーにより合成される表示手段を含むことを特徴とする請求項１から１７のいずれか一項に記載の表示装置。
【請求項１９】  観察者の視線上に相前後して配置された複数の表示手段と、当該表示装置の所定の状態を示す状態情報を格納する格納手段とを備えた表示装置における表示方法であって、
前記状態情報を前記格納手段より読み出す読出工程と、
前記読み出された状態情報に基づいて、当該表示装置を前記所定の状態に設定する設定工程と
を備えたことを特徴とする表示方法。
【手続補正２】
【補正対象書類名】明細書
【補正対象項目名】０００８
【補正方法】変更
【補正の内容】
【０００８】
上記課題を解決するために、請求項１９に記載の表示方法は、観察者の視線上に相前後して配置された複数の表示手段と、当該表示装置の所定の状態を示す状態情報を格納する格納手段とを備えた表示装置における表示方法であって、前記状態情報を前記格納手段より読み出す読出工程と、前記読み出された状態情報に基づいて、当該表示装置を前記所定の状態に設定する設定工程とを備える。
【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  観察者の視線上に相前後して配置されており且つ表示対象物に係る複数の画像を前記視線上において重ねて表示するための複数の表示手段と、
前記複数の表示手段の夫々における前記複数の画像を表示する領域である表示面のうち少なくとも一つの表示面を、該一つの表示面に表示されている前記複数の画像と共に所定の倍率にて拡大又は縮小する表示処理手段と
を備えたことを特徴とする表示装置。
【請求項２】  前記観察者の位置を検出する位置検出手段を更に備えており、
前記表示処理手段は、前記所定の倍率として前記検出された位置に応じて定まる倍率にて拡大又は縮小することを特徴とする請求項１に記載の表示装置。
【請求項３】  前記位置検出手段は、前記観察者の位置を検出するセンサを含むことを特徴とする請求項２に記載の表示装置。
【請求項４】  前記一つの表示面を前記観察者の所望の倍率にて拡大又は縮小させる指示を外部から入力可能な外部入力手段を更に備え、
前記表示処理手段は、前記指示に基づいて、前記一つの表示面を拡大又は縮小することを特徴とする請求項１から３のいずれか一項に記載の表示装置。
【請求項５】  前記複数の表示手段のうち一の表示手段の画面の大きさが、前記観察者の側から見て前記一の表示手段の後方に配置された他の表示手段の画面の大きさよりも小さいことを特徴とする請求項１から４のいずれか一項に記載の表示装置。
【請求項６】  前記表示処理手段は、前記観察者の側から見て前記一つの表示面の前方に配置された他の表示面の大きさを固定し、前記一つの表示面を拡大又は縮小することを特徴とする請求項１から５のいずれか一項に記載の表示装置。
【請求項７】  前記所定の倍率は、前記他の表示面に対する前記一つの表示面の倍率であって、前記観察者と前記他の表示面との距離をＬとし、前記一つの表示面と前記他の表示面との距離をΔＬとした場合に、
（Ｌ＋ΔＬ）／Ｌ    ・・・  （１）
によって示されることを特徴とする請求項６に記載の表示装置。
【請求項８】  前記表示処理手段は、前記観察者の側から見て前記一つの表示面の後方に配置された他の表示面の大きさを固定し、前記一つの表示面を拡大又は縮小することを特徴とする請求項１から５のいずれか一項に記載の表示装置。
【請求項９】  前記所定の倍率は、前記他の表示面に対する前記一つの表示面の倍率であって、前記観察者と前記一つの表示面との距離をＬとし、前記一つの表示面と前記他の表示面との距離をΔＬとした場合に、
Ｌ／（Ｌ＋ΔＬ）    ・・・  （２）
によって示されることを特徴とする請求項８に記載の表示装置。
【請求項１０】  前記表示処理手段は、前記一つの表示面を拡大又は縮小して表示することに代えて又は加えて、前記一つの表示面に表示されている前記複数の画像のうち少なくとも一つの画像を所定の倍率にて拡大又は縮小することを特徴とする請求項１から９のいずれか一項に記載の表示装置。
【請求項１１】  前記表示処理手段は、前記複数の表示手段に供給される画像信号に対して信号処理を施すことにより前記一つの画像を前記所定の倍率にて拡大又は縮小することを特徴とする請求項１０に記載の表示装置。
【請求項１２】  前記複数の表示手段のうち少なくとも一つの表示手段は前記視線方向に沿って移動可能であって、
前記表示処理手段は、前記表示面を拡大又は縮小することに加えて、前記一つの表示手段を前記視線方向に沿って移動させることを特徴とする請求項１から１１のいずれか一項に記載の表示装置。
【請求項１３】  前記複数の表示手段のうち、少なくとも前記観察者の側から見て最も後方に配置された表示手段を除く表示手段は、光透過性を有する表示デバイスからなることを特徴とする請求項１から１２のいずれか一項に記載の表示装置。
【請求項１４】  前記複数の表示手段は、ハーフミラーにより合成される少なくとも一つの表示手段を含むことを特徴とする請求項１から１３のいずれか一項に記載の表示装置。
【請求項１５】  観察者の視線上に相前後して配置されており且つ表示対象物に係る複数の画像を前記視線上において重ねて表示するための複数の表示手段を備えた表示装置における表示方法であって、
前記複数の表示手段の夫々における前記複数の画像を表示する領域である表示面のうち少なくとも一つの表示面を拡大又は縮小するための所定の倍率を算出する倍率算出工程と、
前記算出された所定の倍率にて前記一つの表示面を、該一つの表示面に表示されている前記複数の画像と共に拡大又は縮小する表示工程と
を備えたことを特徴とする表示方法。
【手続補正２】
【補正対象書類名】明細書
【補正対象項目名】０００８
【補正方法】変更
【補正の内容】
【０００８】
上記課題を解決するために請求項１５に記載の表示方法は、観察者の視線上に相前後して配置されており且つ表示対象物に係る複数の画像を前記視線上において重ねて表示するための複数の表示手段を備えた表示装置における表示方法であって、前記複数の表示手段の夫々における前記複数の画像を表示する領域である表示面のうち少なくとも一つの表示面を拡大又は縮小するための所定の倍率を算出する倍率算出工程と、前記算出された所定の倍率にて前記一つの表示面を、該一つの表示面に表示されている前記複数の画像と共に拡大又は縮小する表示工程とを備える。
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  １ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
外部から投入された遊技媒体の流下経路を、外部に排出する排出側経路または内部に取り込む取込側経路のいずれかの流下経路に切り替える流路切替手段と、
前記取込側経路を流下する遊技媒体の流下方向及び流下時間を検出する検出手段と、
前記検出手段により検出された遊技媒体の流下方向が正常な流下方向と異なったとき、または前記検出手段により検出された遊技媒体の流下時間が予め定められた最大流下時間を超えたときにエラー判定するエラー判定手段と、
前記エラー判定手段によるエラー判定に基づき所定のエラー処理を実行するエラー処理手段と、
前記流路切替手段により前記遊技媒体の流下経路が前記排出側経路に切り替わったときから前記最大流下時間よりも長く定められた無効化時間が経過するまでの間、前記検出手段による検出を無効化する無効化手段と、
を備えることを特徴とするスロットマシン。
【請求項２】  前記エラー判定手段は、前記無効化手段により前記検出手段による検出が無効化される期間、前記検出手段による検出を無視する請求項１に記載のスロットマシン。
【請求項３】  前記エラー判定手段は、前記検出手段により検出された遊技媒体の流下時間が予め定められた最小流下時間に満たないときにもエラー判定する請求項１または２に記載のスロットマシン。
【請求項４】  前記検出手段は、前記取込側経路の流下方向に沿って設けられた複数の検出部から構成され、
該検出部により遊技媒体が検出された順番に基づいて前記遊技媒体の流下方向を検出する請求項１〜３のいずれかに記載のスロットマシン。
【請求項５】  前記エラー判定手段は、全ての前記検出部が遊技媒体を検出していない状態で、前記取込側経路の最も上流側に設けられた検出部のみが遊技媒体を検出したときに、該検出を無視する請求項４に記載のスロットマシン。
【請求項６】  前記エラー処理は、ゲームの進行を不能動化する処理である請求項１〜５のいずれかに記載のスロットマシン。
【手続補正２】
【補正対象書類名】明細書
【補正対象項目名】０００３
【補正方法】変更
【補正の内容】
【０００３】
しかしながら、検出手段による遊技媒体の検出が無効とされている間に、一度投入された遊技媒体を外部から牽引して再度使用する不正行為、いわゆる逆戻し等の不正が行われる可能性があるため、遊技媒体を受け付けない状態であっても、常時検出手段を監視するとともに、遊技媒体を受け付けない状態において検出手段により遊技媒体の投入が検出された場合にエラーを検知してゲームの進行を中断させることが可能なスロットマシンが実用化されている。（例えば、特許文献１参照）。
【手続補正３】
【補正対象書類名】明細書
【補正対象項目名】００９３
【補正方法】変更
【補正の内容】
【００９３】
次に、本実施例における遊技制御基板２００の制御部２１０が実行する投入メダル判定処理の制御内容を、図１２のフローチャートに基づいて以下に説明する。
【手続補正４】
【補正対象書類名】明細書
【補正対象項目名】０１１４
【補正方法】変更
【補正の内容】
【０１１４】
これにより、メダルの投入の受付が不可能な状態となって取込側流路３０２から排出側流路３０３に切り替わった際に、投入されたメダルが、流下する勢いや後方から流下するメダルの勢いで、取込側流路３０２側に流下してしまう現象、いわゆる飲み込みが発生した場合でも、センサ１〜３により飲み込みによるメダルが検出され、投入エラーと判定されてしまうことを防止できる。
【手続補正５】
【補正対象書類名】明細書
【補正対象項目名】０１４８
【補正方法】削除
【補正の内容】
【手続補正６】
【補正対象書類名】明細書
【補正対象項目名】０１４９
【補正方法】削除
【補正の内容】
【手続補正７】
【補正対象書類名】明細書
【補正対象項目名】０１５０
【補正方法】変更
【補正の内容】
【０１５０】
（ｆ）請求項６項の発明によれば、エラーが解消されるまでゲームの進行を停止させることができる。
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  １ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
遊技媒体を遊技者に払い出すための遊技媒体払出装置と、
外部から投入された遊技媒体を貯留するとともに、該貯留した遊技媒体を前記遊技媒体払出装置に供給する第一の貯留部と、
前記第一の貯留部から溢れた遊技媒体を貯留するための第二の貯留部と、
前記第二の貯留部に貯留された遊技媒体が所定量以上となったか否かを検出する貯留量検出手段と、
前記貯留量検出手段により遊技媒体が所定量以上となったことが検出されているか否かに基づいて、ゲームの開始から次回のゲームが開始するまでの期間のうちの予め定められたタイミングでのみ満タンエラーか否かを判定する判定手段と、
前記判定手段が前記満タンエラーと判定したときに、所定のエラー処理を行うエラー処理手段と、
を備えることを特徴とするスロットマシン。
【請求項２】  前記判定手段は、前記貯留量検出手段により遊技媒体が所定量以上となったことが検出されている場合に、１ゲームが終了したタイミングでのみ満タンエラーと判定する請求項１に記載のスロットマシン。
【請求項３】  前記判定手段は、前記貯留量検出手段の検出状況を1回確認するのみで、前記満タンエラーか否かを判定する請求項１または２に記載のスロットマシン。
【請求項４】  外部からの遊技媒体の投入を検出する投入検出手段を備え、
前記判定手段は、前記投入検出手段によりゲームの終了後最初に遊技媒体の投入が検出されたときに、前記満タンエラーか否かを判定する請求項１または３に記載のスロットマシン。
【請求項５】  前記貯留量検出手段は、前記貯留部の内方において、該貯留部に貯留された所定量の遊技媒体を検出可能な高さに設けられた左右に離間する一対の導電部材からなり、前記一対の導電部材が前記貯留された遊技媒体を介して接触することにより導電したときに、前記貯留部に貯留された遊技媒体が所定量以上となったことを検出する請求項１〜４のいずれかに記載のスロットマシン。
【手続補正２】
【補正対象書類名】明細書
【補正対象項目名】０００７
【補正方法】変更
【補正の内容】
【０００７】
【課題を解決するための手段】
本発明のスロットマシンは、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
遊技媒体を遊技者に払い出すための遊技媒体払出装置と、
外部から投入された遊技媒体を貯留するとともに、該貯留した遊技媒体を前記遊技媒体払出装置に供給する第一の貯留部と、
前記第一の貯留部から溢れた遊技媒体を貯留するための第二の貯留部と、
前記第二の貯留部に貯留された遊技媒体が所定量以上となったか否かを検出する貯留量検出手段と、
前記貯留量検出手段により遊技媒体が所定量以上となったことが検出されているか否かに基づいて、ゲームの開始から次回のゲームが開始するまでの期間のうちの予め定められたタイミングでのみ満タンエラーか否かを判定する判定手段と、
前記判定手段が前記満タンエラーと判定したときに、所定のエラー処理を行うエラー処理手段と、
を備えることを特徴としている。
この特徴によれば、第二の貯留部に貯留された遊技媒体の貯留量が所定量以上となったことが検出されているか否かに基づいて、ゲームの開始から次回のゲームが開始するまでの期間のうちの予め定められたタイミングでのみ満タンエラーか否かが判定される。すなわち、必要な最低限の頻度で、貯留部に貯留された遊技媒体の貯留量が満タン状態となった否かが監視されるため、満タン状態を確実に検出できる上に、制御負荷を軽減できる。
【手続補正３】
【補正対象書類名】明細書
【補正対象項目名】０００９
【補正方法】変更
【補正の内容】
【０００９】
本発明のスロットマシンの前記判定手段は、前記貯留量検出手段により遊技媒体が所定量以上となったことが検出されている場合に、１ゲームが終了したタイミングでのみ満タンエラーと判定することが好ましい。
このようにすれば、満タンエラーか否かが1ゲームが終了したときにのみ判定されるため、ゲームの進行中にエラー処理が実行されてしまう等の不都合を防止できる。
【手続補正４】
【補正対象書類名】明細書
【補正対象項目名】００１０
【補正方法】変更
【補正の内容】
【００１０】
本発明のスロットマシンの前記判定手段は、前記貯留量検出手段の検出状況を1回確認するのみで、前記満タンエラーか否かを判定することが好ましい。
このようにすれば、貯留量検出手段の検出状況の確認が1回で済むため、制御を簡易化できる。
【手続補正５】
【補正対象書類名】明細書
【補正対象項目名】００１１
【補正方法】変更
【補正の内容】
【００１１】
本発明のスロットマシンは、外部からの遊技媒体の投入を検出する投入検出手段を備え、
前記判定手段は、前記投入検出手段によりゲームの終了後最初に遊技媒体の投入が検出されたときに、前記満タンエラーか否かを判定することが好ましい。
このようにすれば、満タンエラーか否かが外部から遊技媒体の投入が開始されたときに判定されるため、最も適切なタイミングで満タン状態を判定できる。
【手続補正６】
【補正対象書類名】明細書
【補正対象項目名】０１１１
【補正方法】変更
【補正の内容】
【０１１１】
（ａ）請求項１項の発明によれば、第二の貯留部に貯留された遊技媒体の貯留量が所定量以上となったことが検出されているか否かに基づいて、ゲームの開始から次回のゲームが開始するまでの期間のうちの予め定められたタイミングでのみ満タンエラーか否かが判定される。すなわち、必要な最低限の頻度で、貯留部に貯留された遊技媒体の貯留量が満タン状態となった否かが監視されるため、満タン状態を確実に検出できる上に、制御負荷を軽減できる。
【手続補正７】
【補正対象書類名】明細書
【補正対象項目名】０１１２
【補正方法】変更
【補正の内容】
【０１１２】
（ｂ）請求項２項の発明によれば、満タンエラーか否かが1ゲームが終了したときにのみ判定されるため、ゲームの進行中にエラー処理が実行されてしまう等の不都合を防止できる。
【手続補正８】
【補正対象書類名】明細書
【補正対象項目名】０１１３
【補正方法】変更
【補正の内容】
【０１１３】
（ｃ）請求項３項の発明によれば、貯留量検出手段の検出状況の確認が1回で済むため、制御を簡易化できる。
【手続補正９】
【補正対象書類名】明細書
【補正対象項目名】０１１４
【補正方法】変更
【補正の内容】
【０１１４】
（ｄ）請求項４項の発明によれば、満タンエラーか否かが外部から遊技媒体の投入が開始されたときに判定されるため、最も適切なタイミングで満タン状態を判定できる。
【手続補正書】
【提出日】平成18年1月6日(2006.1.6)
【手続補正１】
【補正対象書類名】明細書
【補正対象項目名】特許請求の範囲
【補正方法】変更
【補正の内容】
【特許請求の範囲】
【請求項１】  患者眼の網膜上に設置する眼内埋殖装置を有する視覚再生補助装置において、前記眼内埋殖装置は、光透過性を有する材料からなり網膜上に設置される基台と、該基台の受光面と反対側の面に設けられ，前記基台の受光面を透過した光束を受光する受光手段と、前記基台上に設けられた前記受光手段と同じ設置面に設けられ，受光手段から出力される光電流を所定の刺激パルス信号に変換する信号変換手段と、前記基台上に設けられた前記受光手段と同じ設置面に設けられ，前記信号変換手段により得られた刺激パルス信号を網膜を構成する細胞に電気刺激として出力する電極と、を備えることを特徴とする視覚再生補助装置。
【請求項２】  患者眼の網膜上に設置する眼内埋殖装置を有する視覚再生補助装置において、前記眼内埋殖装置は、半導体材料からなり網膜上に設置される基台と、該基台の受光面と反対側の面に設けられ，前記基台の受光面に光束が当たることによって発生するフォトキャリアを検出する検出手段と、前記基台上に設けられた前記検出手段と同じ設置面に設けられ，検出手段から出力される光電流を所定の刺激パルス信号に変換する信号変換手段と、前記基台上に設けられた前記検出手段と同じ設置面に設けられ，前記信号変換手段により得られた刺激パルス信号を網膜を構成する細胞に電気刺激として出力する電極と、を備えることを特徴とする視覚再生補助装置。
【請求項３】  請求項１又は請求項２の視覚再生補助装置は、眼内に置かれる眼内埋殖装置に対して電磁誘導を用いて体外から電力を供給するための電力供給手段を備えることを特徴とする視覚再生補助装置。
【手続補正２】
【補正対象書類名】明細書
【補正対象項目名】０００５
【補正方法】変更
【補正の内容】
【０００５】
【課題を解決するための手段】
上記課題を解決するために、本発明は以下のような構成を備えることを特徴とする。
（１）  患者眼の網膜上に設置する眼内埋殖装置を有する視覚再生補助装置において、前記眼内埋殖装置は、光透過性を有する材料からなり網膜上に設置される基台と、該基台の受光面と反対側の面に設けられ，前記基台の受光面を透過した光束を受光する受光手段と、前記基台上に設けられた前記受光手段と同じ設置面に設けられ，受光手段から出力される光電流を所定の刺激パルス信号に変換する信号変換手段と、前記基台上に設けられた前記受光手段と同じ設置面に設けられ，前記信号変換手段により得られた刺激パルス信号を網膜を構成する細胞に電気刺激として出力する電極と、を備えることを特徴とする。
（２）  患者眼の網膜上に設置する眼内埋殖装置を有する視覚再生補助装置において、前記眼内埋殖装置は、半導体材料からなり網膜上に設置される基台と、該基台の受光面と反対側の面に設けられ，前記基台の受光面に光束が当たることによって発生するフォトキャリアを検出する検出手段と、前記基台上に設けられた前記検出手段と同じ設置面に設けられ，検出手段から出力される光電流を所定の刺激パルス信号に変換する信号変換手段と、前記基台上に設けられた前記検出手段と同じ設置面に設けられ，前記信号変換手段により得られた刺激パルス信号を網膜を構成する細胞に電気刺激として出力する電極と、を備えることを特徴とする。
（３）  （１）又は（２）の視覚再生補助装置は、眼内に置かれる眼内埋殖装置に対して電磁誘導を用いて体外から電力を供給するための電力供給手段を備えることを特徴とする。
【手続補正３】
【補正対象書類名】明細書
【補正対象項目名】０００６
【補正方法】削除
【補正の内容】
【手続補正書】
【提出日】平成17年12月19日(2005.12.19)
【手続補正１】
【補正対象書類名】明細書
【補正対象項目名】０００９
【補正方法】変更
【補正の内容】
【０００９】
さらに、上記回転支持手段は、鏡を開いたときに、この鏡の先端が洗面台の前端から突出しないように位置させると良い。このようにすることにより、鏡の回転する先端が洗面台の前端から突出しないので、鏡の開閉が容易になり使い勝手が良くなるとともに、使用する上においても衝突など危険を防止することができる。
【手続補正２】
【補正対象書類名】明細書
【補正対象項目名】００１８
【補正方法】変更
【補正の内容】
【００１８】
ミラーキャビネット２０は、正面に鏡２４、３０、３４が設けられるが、これら鏡２４、３０および３４は、それぞれ中央ミラー扉２２、左ミラー扉２８、右ミラー扉３２を形成する。また、これら三つの鏡２４、３０および３４は３面鏡を形成する。
【手続補正３】
【補正対象書類名】明細書
【補正対象項目名】００１９
【補正方法】変更
【補正の内容】
【００１９】
図４は、図１、２に示したミラーキャビネット２０を示し、（Ａ）は図４（Ｂ）のＡ−Ａ線断面図、（Ｂ）は正面図である。図５は、図４（Ｂ）のＢ−Ｂ線断面図である。ミラーキャビネット２０は、枠状の本体２１と、本体２１の裏側に設けられた背面板３５と、本体の表側に設けられた中央ミラー扉２２、左ミラー扉２８および右ミラー扉３２とを有する。
【手続補正４】
【補正対象書類名】明細書
【補正対象項目名】００２２
【補正方法】変更
【補正の内容】
【００２２】
さらに、回転支持装置４６は、図示していない緩衝材を介して鏡２４を挟む略Ｕ字形部材４９と、このＵ字形部材４９の上面中央部に固着された円柱状の突起５３と、この突起５３が挿入される孔を有する座板５６とを有する。円柱状の突起５３は、その基端寄りに鍔５３ａが設けられる。座板５６は、ミラーキャビネットの本体２１に形成された穴２１ａの開口部を塞ぐ位置で本体２１に固定される。突起５３は、座板５６の孔に挿入され回転可能である。なお、洗面化粧台の左右に位置する左ミラー扉２８、右ミラー扉３２の回転支持装置４７についても、回転支持装置４６の構造と略同じであるので、その説明を省略する。
【手続補正５】
【補正対象書類名】明細書
【補正対象項目名】００２３
【補正方法】変更
【補正の内容】
【００２３】
以上の構造を有する本実施形態の洗面化粧台１の作用について図７を使用して説明する。図７は、ミラーキャビネットの中央ミラー扉２２の作用を説明する横断面図である。鏡２４は、その左右方向の右寄りの中間位置２７において上下方向７１（図４に表示）を軸に回転させて開くことが可能な回転支持装置４６が設けられるので、鏡２４の回転する先端２５と回転支持装置４６の軸との間の距離Ｄは、鏡の全幅Ｗよりも小さくなり、鏡２４を回転する前の鏡の面２４ａから手前に突出する距離が小さくなり、鏡の先端２５が洗面台の前端５位置（図２、３に表示）から突出しないようにすることができる。
【手続補正６】
【補正対象書類名】明細書
【補正対象項目名】００２５
【補正方法】変更
【補正の内容】
【００２５】
ところで、図２に示すように、本実施形態の洗面化粧台１は、洗面台３の上にミラーキャビネット２０が設けられるもので、特にミラーキャビネットの中央の鏡２４（または中央ミラー扉２２）の左右方向の幅Ｗ（図１）が、閉じられた鏡の面２４ａと洗面台の前端５との距離Ｄ０より大きい場合に最も有効である。すなわち、図７に示すように、回転支持装置４６は、鏡２４の左右方向右寄りの中間位置２７に設けられるが、鏡２４が閉められた状態のときに、鏡の左端（先端）２５と回転支持装置４６の軸との間の距離Ｄが鏡の面２４ａと洗面台の前端５との距離以内になるようにする。こうすることにより、鏡２４を回転したときに、その先端２５が洗面台の前端５から手前側に突出しない。
【手続補正７】
【補正対象書類名】明細書
【補正対象項目名】００２６
【補正方法】変更
【補正の内容】
【００２６】
図８は、本発明に係る洗面化粧台の別の実施形態を示し、ミラーキャビネットの中央ミラー扉２２の裏側に収納棚３８を設けた場合の横断面図である。収納棚３８は、鏡に固定される側と反対の側が開口した箱形の枠に棚を設けたものである。収納棚３８の背面側には背面板３８ａが設けられる。中央ミラー扉２２の構造として、この収納棚３８に鏡２４を固定したものとしても良い。洗面化粧台１が大型化し洗面台３の奥行き、すなわち図２に示した距離Ｄ０が大きい場合でも、鏡２４の裏側に収納棚３８を設けることにより、中央ミラー扉２２を開いたときに収納棚３８が近くになり、そこに収納された物品を取り出し易くなる。
【手続補正８】
【補正対象書類名】明細書
【補正対象項目名】図面の簡単な説明
【補正方法】変更
【補正の内容】
【図面の簡単な説明】
【図１】
本発明に係る洗面化粧台の一実施形態を示す正面図である。
【図２】
図１の右側面図である。
【図３】
図１の平面図である。
【図４】
図１、２に示したミラーキャビネットを示し、（Ａ）は図４（Ｂ）のＡ−Ａ線断面図、（Ｂ）は正面図である。
【図５】
図４（Ｂ）のＢ−Ｂ線断面図である。
【図６】
図４、５に示したミラーキャビネットの回転支持装置を示し、（Ａ）は正面断面図、（Ｂ）は側面断面図である。
【図７】
ミラーキャビネットの中ミラー扉の作用を説明する横断面図である。
【図８】
図８は、本発明に係る洗面化粧台の別の実施形態を示し、ミラーキャビネットのミラー扉の裏側に収納棚を設けた場合の横断面図である。
【手続補正９】
【補正対象書類名】明細書
【補正対象項目名】符号の説明
【補正方法】変更
【補正の内容】
【符号の説明】
１  洗面化粧台
３  洗面台
５  前端
７  洗面ボール
２０  ミラーキャビネット
２２  中央ミラー扉
２４  鏡
２５  先端
２７  中間位置
４６  回転支持装置（回転支持手段）
６９  左右方向
７１  上下方向
【手続補正１０】
【補正対象書類名】図面
【補正対象項目名】図１
【補正方法】変更
【補正の内容】
【図１】
2004229915.tif 000001
【手続補正１１】
【補正対象書類名】図面
【補正対象項目名】図５
【補正方法】変更
【補正の内容】
【図５】
2004229915.tif 000002